(57)【要約】【課題】バックライトの制御によりスクリーンセーバ機能と省電力化とを実現する液晶表示装置を提供することである。【解決手段】液晶表示装置１０は、複数の光源を有するバックライト２１を備え、静止画を表示した状態で所定時間経過した場合に、該静止画を表示したまま、前記光源が第１の所定数ずつ第１の所定順序で消灯する一方、前記光源が第２の所定数ずつ第２の所定順序で点灯するスクリーンセーバ機能を備える構成とする。【選択図】図１
2008072273.tif 000002
【特許請求の範囲】
【請求項１】
上段、中段、下段に配設された３本の蛍光灯からなる光源を有するバックライトと、映像を記録したＤＶＤを再生及びＤＶＤに映像を記録するＤＶＤ記録再生部とを備えたＤＶＤ一体型液晶テレビにおいて、
ＤＶＤから読み出した静止画を表示した状態で所定時間経過した場合に、該静止画を表示したまま、前記光源が１本ずつ上段から順に消灯する一方、前記光源が１本ずつ上段から順に点灯し、常時１本以上の光源が点灯しているスクリーンセーバ機能を備え、
該スクリーンセーバ機能の動作中に何らかの操作の入力があるとスクリーンセーバ機能の動作を終了することを特徴とするＤＶＤ一体型液晶テレビ。
【請求項２】
複数の光源を有するバックライトを備えた液晶表示装置において、
静止画を表示した状態で所定時間経過した場合に、該静止画を表示したまま、前記光源が第１の所定数ずつ第１の所定順序で消灯する一方、前記光源が第２の所定数ずつ第２の所定順序で点灯するスクリーンセーバ機能を備えることを特徴とする液晶表示装置。
【請求項３】
前記第１及び第２の所定数は１つであることを特徴とする請求項２記載の液晶表示装置。
【請求項４】
前記第１及び第２の所定順序は、前記光源が並んでいる順序であることを特徴とする請求項２又は３記載の液晶表示装置。
【請求項５】
前記スクリーンセーバ機能の動作時に点灯している前記光源は常時１つ以上であることを特徴とする請求項２〜４の何れかに記載の液晶表示装置。
【請求項６】
映像を記録した光ディスクを再生する再生部を備え、
前記静止画は前記光ディスクから読み出した画像であることを特徴とする請求項２又は３記載の液晶表示装置。
【発明の詳細な説明】
【技術分野】
【０００１】
本発明は、複数の光源を有するバックライトを備えた液晶表示装置及びＤＶＤ一体型液晶テレビに関する。
【背景技術】
【０００２】
一般的にＤＶＤ装置にはスクリーンセーバ機能が備えられている。この機能は、再生中に停止した場合などで所定時間静止画が表示されているとき、予め準備されている映像を表示させるものである。また、映像を表示させる代わりに映像出力の輝度を低下させるものもある。
【０００３】
また液晶表示装置には、ＤＶＤ装置などの外部入力を表示している場合であって所定時間入力がないときに、バックライトの輝度を低下させたり、バックライトを消灯させたりしているものもある。
【０００４】
例えば、特許文献１には、ＤＶＤ装置を備えるテレビジョン放送受信機において、テレビジョンマイコンがスリープタイマモードの開始時刻をメモリに記憶し、表示部に出力される画面のブライトネス及びコントラストの値を最小値にする構成が開示されている。
【０００５】
また特許文献２には、入力操作が途絶えた状態の時間を計測し、その経過時間が監視時間に達したときに液晶表示装置のバックライトの輝度を低下させるバックライト制御方法が開示されている。
【０００６】
また特許文献３には、視聴者がリモコン等を利用して外部入力端子側を選択した状態で、該外部入力端子側から一定時間連続して映像信号の入力がなければ、ＯＳＤ処理部により表示された文字または図形に対向配置されているバックライト以外のバックライトを消灯するようにした液晶テレビの構成が開示されている。
【特許文献１】特開２００６−５４８２７号公報
【特許文献２】特開２００２−９９２４８号公報
【特許文献３】特開２００６−１３９４２号公報
【発明の開示】
【発明が解決しようとする課題】
【０００７】
上記のように、液晶表示装置においては、バックライトの輝度を低下させたり、バックライトの一部を消灯させたりして消費電力の低減を図っている。従来提案されているバックライトの制御でも省電力化は実現されているが、使い勝手を向上させるため更なる改良の余地がある。
【０００８】
本発明は、バックライトの制御によりスクリーンセーバ機能と省電力化とを実現する液晶表示装置を提供することを目的とする。
【課題を解決するための手段】
【０００９】
上記目的を達成するために本発明は、複数の光源を有するバックライトを備えた液晶表示装置において、
静止画を表示した状態で所定時間経過した場合に、該静止画を表示したまま、前記光源が第１の所定数ずつ第１の所定順序で消灯する一方、前記光源が第２の所定数ずつ第２の所定順序で点灯するスクリーンセーバ機能を備えることを特徴とする。
【００１０】
上記の液晶表示装置において、前記第１及び第２の所定数は１つとすることができる。
【００１１】
また上記の液晶表示装置において、前記第１及び第２の所定順序は、前記光源が並んでいる順序であるとすることができる。
【００１２】
また上記の液晶表示装置において、前記スクリーンセーバ機能の動作時に点灯している前記光源は常時１つ以上であることが望ましい。
【００１３】
また上記の液晶表示装置において、映像を記録した光ディスクを再生する再生部を備え、
前記静止画は前記光ディスクから読み出した画像とすることができる。
【００１４】
本発明を具体化すると、上段、中段、下段に配設された３本の蛍光灯からなる光源を有するバックライトと、映像を記録したＤＶＤを再生及びＤＶＤに映像を記録するＤＶＤ記録再生部とを備えたＤＶＤ一体型液晶テレビにおいて、
ＤＶＤから読み出した静止画を表示した状態で所定時間経過した場合に、該静止画を表示したまま、前記光源が１本ずつ上段から順に消灯する一方、前記光源が１本ずつ上段から順に点灯し、常時１本以上の光源が点灯しているスクリーンセーバ機能を備え、
該スクリーンセーバ機能の動作中に何らかの操作の入力があるとスクリーンセーバ機能の動作を終了する構成となる。
【発明の効果】
【００１５】
本発明によれば、バックライトの制御により、光源の消灯／点灯を繰り返してスクリーンセーバ機能を実現し、光源を消灯させて省電力化を実現している。また、スクリーンセーバに用いる映像を保持していないので記憶容量を圧迫することもない。
【発明を実施するための最良の形態】
【００１６】
以下、液晶表示装置の一例として、ＤＶＤ記録再生装置と液晶テレビとが一体になったＤＶＤ一体型液晶テレビを用いて説明する。図１は、ＤＶＤ一体型液晶テレビ１０の構成及びその周辺機器を示すブロック図である。ＤＶＤ一体型液晶テレビ１０には、ケーブルテレビや衛星放送等のセットトップボックス又はビデオデッキ等の映像音声記録装置に代表される外部装置１１が接続されている。またＤＶＤ一体型液晶テレビ１０は、リモコン１２によって操作可能である。
【００１７】
ＤＶＤ一体型液晶テレビ１０は、アンテナで受信したテレビ放送信号を復調、デジタル化するチューナ１３と、チューナ１３や外部装置１１から受け取った画像音声データをＭＰＥＧ２等に準拠して圧縮符号化したり、ＤＶＤ記録再生部１４で再生された圧縮された画像データを伸長復号したりする画像音声圧縮伸長部１５と、画像音声圧縮伸長部１５から受け取った圧縮された画像音声データを挿入されたＤＶＤに記録したり、ＤＶＤに記録されたデータを再生したりするＤＶＤ記録再生部１４と、画像を表示する液晶表示部１６と、各種設定値を液晶表示部１６の一部に表示しながら設定できるようにするＯＳＤ（On Screen Display）部１７と、ＯＳＤ部１７からの画像信号をアナログ化し、液晶表示部１６へ出力する画像出力部１８と、音声を出力するスピーカ１９と、画像音声圧縮伸長部１５からの音声信号をアナログ化し、スピーカ１９へ出力する音声出力部２０と、液晶表示部１６の裏面に設けられ、複数の光源を有するバックライト２１と、バックライト２１の駆動を光源毎に制御するバックライト駆動回路２２と、ＲＯＭやＲＡＭからなるメモリ２３と、リモコン１２からの信号を受信するリモコン受信部２４と、外部装置１１が接続される外部Ｉ／Ｆ２５と、ＤＶＤ一体型液晶テレビ１０の各部を制御する制御部２６とを備えている。
【００１８】
バックライト２１の光源としては、Ｕ字管や直管の蛍光灯、ＬＥＤなどを利用でき、その配置には特に限定はない。また、バックライト駆動回路２２は、各光源にそれぞれ１つずつ接続されるインバータ回路を備えることで光源毎にその点灯／消灯を制御することができる。
【００１９】
また、制御部２６は、静止画を表示した状態で所定時間経過した場合に、バックライト２１の光源の点灯／消灯を適宜制御するスクリーンセーバ機能の動作も制御する。以下にスクリーンセーバ機能について説明する。
【００２０】
図２は、スクリーンセーバ機能を実行する際のＤＶＤ一体型液晶テレビ１０の動作を示すフローチャートである。まず、ステップＳ１０において静止画が表示されると、ステップＳ１１へ進んで静止画を表示している状態で所定時間経過したか否かを判定する。表示されている静止画は、ＤＶＤの再生を停止した時点で表示していた画像であったり、受信中のテレビ放送の映像を静止させる機能を利用して静止させた画像であったり、外部装置１１から入力された画像であったりする。また、所定時間は、ユーザが何らかの理由で現在は視聴していないであろうと推測される時間を予め設定しておけばよく、例えば、５分間とすることができる。なお、所定時間の設定は、製造時に設定しておいてもよいし、ユーザが任意に設定できるようにしてもよい。
【００２１】
ステップＳ１１において所定時間経過した場合は、ステップＳ１２へ進んで静止画は表示したまま、バックライト２１の光源を第１の所定数ずつ第１の所定順序で消灯する一方、光源を第２の所定数ずつ第２の所定順序で点灯するというスクリーンセーバ処理を実行する。このスクリーンセーバ処理の詳細は後述する。
【００２２】
一方、ステップＳ１１において所定時間経過していない場合は、ステップＳ１３へ進んで静止画の表示が終了したか否かを判定する。静止画の表示が終了するのは、リモコンから操作が入力された場合であり、例えば再生開始の指示が挙げられる。ステップＳ１３において静止画の表示が終了した場合は、このフローチャートの処理を終了する。一方、ステップＳ１３において静止画の表示が続いている場合、つまり、何の操作もされていない場合は、ステップＳ１１に戻る。
【００２３】
ステップＳ１２からはステップＳ１４へ進む。ステップＳ１４においては、リモコンから操作が入力されたか否かを判定する。ステップＳ１４において何らかの操作があれば、ステップＳ１５へ進んでスクリーンセーバを終了する。スクリーンセーバの終了とは、バックライト２１の全ての光源を通常通り点灯させるように制御することである。一方、ステップＳ１４において何の操作もなければ何らかの操作があるまでスクリーンセーバを維持する。
【００２４】
次に、上述したスクリーンセーバ処理について説明する。ここでは、バックライト２１の光源が３本の蛍光灯からなる場合を例に説明する。図３（ａ）は光源の配置を示す図である。液晶表示部１６の裏面に３本の光源２１ａ〜２１ｃが配設されている。図３（ｂ）は図３（ａ）で光源２１ａ〜２１ｃが全て点灯している場合に表示される静止画の一例を示す図である。液晶表示部１６の画面のほぼ全体にＡの文字である静止画３０が表示されており、通常通り光源２１ａ〜２１ｃが全て点灯しているので静止画３０の全てを視認することができる。
【００２５】
スクリーンセーバ処理が実行されると、静止画３０は表示したまま、光源２１ａ〜２１ｃを第１の所定数ずつ第１の所定順序で消灯する一方、光源を第２の所定数ずつ第２の所定順序で点灯するのであるが、光源２１ａ〜２１ｃの消灯／点灯の動作制御は様々なパターンが考えられる。
【００２６】
例えば、第１及び第２の所定数を１とし、第１及び第２の所定順序を光源２１ａ〜２１ｃが並んでいる順序、つまり光源２１ａ、光源２１ｂ、光源２１ｃの順とした場合について説明する。
【００２７】
この場合、静止画３０を表示したまま、まず光源２１ａを消灯させる。そうすると、液晶表示部１６の上段が暗くなり、静止画３０は、図４（ａ）に示すように、その上段部分が視認できない状態となる。次に光源２１ａを点灯させると同時に光源２１ｂを消灯させる。そうすると、液晶表示部１６の中段が暗くなり、静止画３０は、図４（ｂ）に示すように、その中段部分が視認できない状態となる。次に光源２１ｂを点灯させると同時に光源２１ｃを消灯させる。そうすると、液晶表示部１６の下段が暗くなり、静止画３０は、図４（ｃ）に示すように、その下段部分が視認できない状態となる。次に光源２１ｃを点灯させると同時に光源２１ａを消灯させる。そうすると、静止画３０は、図４（ａ）の状態に戻る。
【００２８】
なお、図４（ａ）から図４（ｂ）、図４（ｂ）から図４（ｃ）、図４（ｃ）から図４（ａ）へ変化する時間間隔は数秒程度が望ましい。静止画３０に動きがあるように見えるからである。また、上記のように先の光源の点灯と次の光源の消灯とを同時に行うほかに、先の光源を点灯させてから次の光源を消灯させるようにしてもよい。また、次の光源を消灯させてから先の光源を点灯させるようにしてもよい。
【００２９】
上記の消灯／点灯動作を繰り返すことにより見た目には表示される画像が変化するので、上記の処理はスクリーンセーバとして利用することができる。
【００３０】
また例えば、第１及び第２の所定数を２とし、第１及び第２の所定順序を光源２１ａ〜２１ｃが並んでいる順序とは逆、つまり光源２１ｃ、光源２１ｂ、光源２１ａの順とすることもできる。また、スクリーンセーバ処理中に第１及び第２の所定数と第１及び第２の所定順序をランダムに変更してもよい。
【００３１】
このように、スクリーンセーバ処理においては、光源を消灯／点灯させて静止画の一部が消えた状態にするのであるが、その際、光源は常時１つ以上点灯していることが望ましい。全ての光源が消灯してしまうと、液晶表示部１６には何も表示されなくなるので、ユーザは電源オフ状態と勘違いしてしまうおそれがあるからである。
【００３２】
以上のように、上記のＤＶＤ一体型液晶テレビ１０によれば、バックライト２１の制御により、光源の消灯／点灯を繰り返してスクリーンセーバ機能を実現し、光源を消灯させて省電力化を実現している。なお、スクリーンセーバに用いる映像を保持していないのでメモリ２３の容量を圧迫することもない。
【産業上の利用可能性】
【００３３】
本発明は、テレビやパソコンのモニタとしての液晶表示装置に利用でき、特にＤＶＤ一体型液晶テレビやＨＤＤ一体型液晶テレビなど記録媒体の映像を再生できる液晶テレビに有効に利用することができる。
【図面の簡単な説明】
【００３４】
【図１】本発明のＤＶＤ一体型液晶テレビの構成及びその周辺機器を示すブロック図である。
【図２】本発明のスクリーンセーバ機能を実行する際のＤＶＤ一体型液晶テレビの動作を示すフローチャートである。
【図３】（ａ）は光源の配置を示す図であり、（ｂ）は光源が全て点灯している場合に表示される静止画の一例を示す図である。
【図４】（ａ）は上段の光源が消灯した場合に視認される静止画を示す図、（ｂ）は中段の光源が消灯した場合に視認される静止画を示す図、（ｃ）は下段の光源が消灯した場合に視認される静止画を示す図である。
【符号の説明】
【００３５】
１０    液晶表示装置
１４    ＤＶＤ記録再生部
２１    バックライト
【図１】
2008072273.tif 000003
【図２】
2008072273.tif 000004
【図３】
2008072273.tif 000005
【図４】
2008072273.tif 000006